(57)【要約】      （修正有）【課題】グッズの取り付けが容易なバッグ及びグッズ保持シートを提供する。【解決手段】バッグ１０は、収納部１２と、収納部１２内に着脱可能に設けられたグッズ保持シート５１と、収納部１２の正面部４１の一部を構成し、収納部１２内においてグッズ保持シート５１の表面側に保持されるグッズをバッグ外部から視認可能とする透明部３１と、収納部１２の背面部４２にグッズ保持シート５１の裏面側を着脱可能に取り付ける連結構造とを備える。【選択図】図１
0003207520.tif 000002
【実用新案登録請求の範囲】
【請求項１】
収納部と、
前記収納部内に着脱可能に設けられたグッズ保持シートと、
前記収納部の少なくとも一部を構成し、前記収納部内において前記グッズ保持シートの表面側に保持されるグッズをバッグ外部から視認可能とする透明部と、
前記収納部の内面の一部に前記グッズ保持シートの裏面側を着脱可能に取り付ける連結構造と、を備えたバッグ。
【請求項２】
前記連結構造は、
前記グッズ保持シートの裏面側に設けられた係合部と、
前記収納部の内面の一部に設けられ、前記係合部に着脱可能に取り付けられる係合受け部と、を備えた請求項１に記載のバッグ。
【請求項３】
前記係合部及び前記係合受け部は、マジックテープ（登録商標）からなる請求項２に記載のバッグ。
【請求項４】
前記収納部内に着脱可能に設けられたグッズ吊持部材をさらに備え、
前記透明部は、前記収納部内において前記グッズ吊持部材に吊持されるグッズもバッグ外部から視認可能とする請求項１ないし３のいずれかに記載のバッグ。
【請求項５】
前記収納部の内面の一部に前記グッズ吊持部材を着脱可能に取り付ける連結構造をさらに備えた請求項４に記載のバッグ。
【請求項６】
前記グッズ吊持部材用の前記連結構造は、
前記グッズ吊持部材の両端に設けられた一対の係合部と、
前記収納部の内面の一部に設けられ、前記一対の係合部のそれぞれに着脱可能に取り付けられる一対の係合受け部と、を備えた請求項５に記載のバッグ。
【請求項７】
前記収納部の内面の一部の裏面を利用して収納空間を構成した別の収納部をさらに備え、前者の収納部の収納空間が後者の別の収納部の収納空間よりも小さい請求項１ないし６のいずれかに記載のバッグ。
【請求項８】
第１収納部と、
前記第１収納部の隣に設けられ、前記第１収納部よりも収納空間が小さい第２収納部と、
前記第２収納部内に着脱可能に設けられたグッズ保持シートと、
前記第２収納部の少なくとも一側面を構成し、前記第２収納部内において前記グッズ保持シートの表面側に保持されるグッズをバッグ外部から視認可能とする透明部と、
前記第１収納部と前記第２収納部とを仕切る境界部と、
前記第２収納部内において前記境界部に前記グッズ保持シートの裏面側を着脱可能に取り付ける連結構造と、を備え、
前記連結構造は、
前記グッズ保持シートの裏面側に設けられた係合部と、
前記境界部に設けられ、前記係合部に着脱可能に取り付けられる係合受け部と、を備えたバッグ。
【請求項９】
内面の一部に係合受け部を有する収納部と、前記収納部の少なくとも一部を構成する透明部と、を備えたバッグに、着脱可能に取り付けられるグッズ保持シートであって、
表面側に、グッズを保持するグッズ保持エリアを有し、
裏面側に、前記係合受け部に着脱可能に取り付けられる係合部を有し、
前記係合部及び前記係合受け部によって前記収納部内に取り付けられた際に、前記グッズ保持エリアに保持されるグッズを前記透明部を介してバッグ外部から視認可能とした、グッズ保持シート。
【考案の詳細な説明】
【技術分野】
【０００１】
本考案は、缶バッジやキーホルダ等のグッズを装飾として見せることが可能なバッグ及びこれに用いるグッズ保持シートに関するものである。
【背景技術】
【０００２】
この種のバッグとして、例えば特許文献１に記載のものが知られている。このバッグは、バッグの一側面と透明カバーとの間に立体的なグッズ収納部を形成し、このグッズ収納部内にグッズ保持部材を設け、グッズ保持部材にキーホルダを吊持させることを可能にしている。また、同文献には、グッズ収納部内で缶バッジをとめることなども開示されている。
【先行技術文献】
【特許文献】
【０００３】
【特許文献１】実用新案登録第３２００８２６号公報
【考案の開示】
【考案が解決しようとする課題】
【０００４】
しかし、特許文献１には、グッズ収納部内のどこに缶バッジをとめることができるのか具体的に記載されていない。この点、通常、缶バッジはバッグの生地に缶バッジのピンを刺して取り付けるが、バッグの生地の厚さによってはピンを通しにくいし、バッグの生地の種類によっては実際にピンを通すことができないという問題がある。また、このような缶バッジの取り付けは、グッズ収納部内では作業しにくいという問題もある。
【０００５】
そこで、本考案は、グッズの取り付けが容易なバッグ及びグッズ保持シートを提供することを目的とする。
【課題を解決するための手段】
【０００６】
上記目的を達成するために、一態様のバッグは、収納部と、収納部内に着脱可能に設けられたグッズ保持シートと、収納部の少なくとも一部を構成し、収納部内においてグッズ保持シートの表面側に保持されるグッズをバッグ外部から視認可能とする透明部と、収納部の内面の一部にグッズ保持シートの裏面側を着脱可能に取り付ける連結構造と、を備える。
【０００７】
上記目的を達成するために、一態様のグッズ保持シートは、内面の一部に係合受け部を有する収納部と、収納部の少なくとも一部を構成する透明部と、を備えたバッグに着脱可能に取り付けられるものであって、表面側にグッズを保持するグッズ保持エリアを有し、裏面側に係合受け部に着脱可能に取り付けられる係合部を有し、係合部及び係合受け部によって収納部内に取り付けられた際に、グッズ保持エリアに保持されるグッズを透明部を介してバッグ外部から視認可能としたものである。
【０００８】
このような態様によれば、缶バッジなどのグッズをグッズ保持シートに予め保持させてから、グッズ保持シートを収納部内に入れて、その内面の一部にグッズ保持シートを連結構造により取り付けることができる。これにより、グッズを収納部の内面に直接取り付ける場合に比べて、グッズの取付けを簡易に行える。また、収納部の内面の性状（厚みや材質）を問わず、グッズを収納部内に設けることができる。加えて、収納部内に入れたグッズ保持シート上のグッズを透明部を介してバッグ外部へと見せることができる。
【０００９】
好ましい態様によれば、連結構造は、保持シートの裏面側に設けられた係合部と、収納部の内面の一部に設けられて係合部に着脱可能に取り付けられる係合受け部と、を備えるとよい。
【００１０】
この態様によれば、グッズ保持シートの係合部を収納部の係合受け部に取り付けることで、グッズ保持シートを収納部内に設けることができるし、また、両者の取り付けを外すことで、グッズ保持シートを収納部内から出すことが可能となる。これにより、簡易な連結構造でグッズ保持シートを収納部内に着脱させることができる。
【００１１】
好ましい態様によれば、係合部及び係合受け部は、マジックテープ（登録商標）からなるとよい。
【００１２】
この態様によれば、軽量化と低コスト化を図りながら、グッズ保持シートの着脱を容易にすることができる。
【００１３】
好ましい態様によれば、バッグは、収納部内に着脱可能に設けられたグッズ吊持部材をさらに備え、透明部は、収納部内においてグッズ吊持部材に吊持されるグッズもバッグ外部から視認可能とするとよい。
【００１４】
この態様によれば、グッズ保持シート及びグッズ吊持部材上の両方のグッズをバッグ外部へと見せることができる。また、グッズ吊持部材は、グッズ保持シートと同様に収納部内に着脱可能であるため、キーホルダなどのグッズをグッズ吊持部材に予め保持させてから、グッズ吊持部材を収納部内に入れて、その内面の一部に取り付けることができる。これにより、グッズ吊持部材へのグッズの取付けについても簡易に行うことができる。
【００１５】
好ましい態様によれば、バッグは、収納部の内面の一部にグッズ吊持部材を着脱可能に取り付ける連結構造をさらに備えるとよい。
【００１６】
この態様によれば、グッズ保持部材とグッズ吊持部材とを収納部の同じ内面に着脱可能に取り付けることができる。
【００１７】
好ましい態様によれば、グッズ吊持部材用の連結構造は、グッズ吊持部材の両端に設けられた一対の係合部と、収納部の内面の一部に設けられ、一対の係合部のそれぞれに着脱可能に取り付けられる一対の係合受け部と、を備えるとよい。
【００１８】
この態様によれば、簡易な構成でグッズ吊持部材を収納部に着脱させることができる。
【００１９】
好ましい態様によれば、バッグは、収納部の内面の一部の裏面を利用して収納空間を構成した別の収納部をさらに備え、前者の収納部の収納空間が後者の別の収納部の収納空間よりも小さいとよい。
【００２０】
この態様によれば、大きさの異なる二つの収納部を隣り合わせとすることができる上、その両者の境界部分について素材の共用化を図ることができる。
【００２１】
上記目的を達成するために、別の態様のバッグは、第１収納部と、第１収納部の隣に設けられ、第１収納部よりも収納空間が小さい第２収納部と、第２収納部内に着脱可能に設けられたグッズ保持シートと、第２収納部の少なくとも一側面を構成し、第２収納部内においてグッズ保持シートの表面側に保持されるグッズをバッグ外部から視認可能とする透明部と、第１収納部と第２収納部とを仕切る境界部と、第２収納部内において境界部にグッズ保持シートの裏面側を着脱可能に取り付ける連結構造と、を備える。連結構造は、グッズ保持シートの裏面側に設けられた係合部と、境界部に設けられて係合部に着脱可能に取り付けられる係合受け部と、を備える。
【図面の簡単な説明】
【００２２】
【図１】実施形態に係るバッグを示す斜視図であり、（Ａ）は透明カバーを閉じた状態を示す斜視図であり、（Ｂ）は透明カバーを開けた状態を示す斜視図である。
【図２】（Ａ）は実施形態に係るグッズ保持シートの表面側を示す正面図であり、（Ｂ）同グッズ保持シートの裏面側を示す背面図である。
【図３】図１のバッグの収納部内の上部を示す斜視図である。
【図４】図１のバッグの使用例を示す斜視図である。
【考案を実施するための形態】
【００２３】
添付図面を参照して、本考案の好適な実施形態について、トートバッグを例に説明する。
【００２４】
図１に示すように、バッグ１０は、上部が開口した第１収納部１１と、第１収納部１１の隣に設けられた第２収納部１２と、を有している。第１収納部１１の上部には、前後一対の持ち手１４が取り付けられている。また、第１収納部１１の上部には、その開口を開閉するためのファスナー（図示省略）を設けることができる。
【００２５】
第１収納部１１は、第２収納部１２よりも収納空間が大きい。第１収納部１１及び第２収納部１２は、いずれもマチ（奥行）を有している。ここでは、第１収納部１１は、第２収納部１２よりもマチが大きく、例えば前者は７０ｍｍに、後者は４５ｍｍに設定されている。また、第１収納部１１と第２収納部１２とは、横の長さは同じであるが、縦（高さ）は第１収納部１１の方が若干大きく形成されている。
【００２６】
第１収納部１１は、第２収納部１２側の正面部２１と、正面部２１に対向する背面部２２と、これらの両端部をマチ方向につなぐ左右の側面部２３ａ、２３ｂと、載置面となる底面部２４と、を有している。これら正面部２１、背面部２２、側面部２３ａ、２３ｂ及び底面部２４を適宜縫合することによって、第１収納部１１の収納空間が立体的に画定されている。例えば、側面部２３ａ、２３ｂ及び底面部２４は一つの生地から形成されており、これに正面部２１の生地及び背面部２２の生地がそれぞれ縫合されている。なお、これら生地には裏地が縫い合わされてもよい。
【００２７】
第２収納部１２は、透明カバー３１及び縫い代部３２からなる正面部４１と、正面部４１に対向する背面部４２（図３参照）と、これらの両端部をマチ方向につなぐ左右の側面部４３ａ、４３ｂと、載置面となる底面部４４と、底面部４４に対向する天面部４５と、を有している。これら正面部４１、背面部４２、側面部４３ａ、４３ｂ、底面部４４及び天面部４５を適宜縫合することによって、第２収納部１２の収納空間が立体的に画定されている。例えば、側面部４３ａ、４３ｂ、底面部４４及び天面部４５は一つの生地から形成されており、これに縫い代部３２の生地及び背面部４２の生地がそれぞれ縫合されている。なお、これら生地には裏地が縫い合わされてもよい。
【００２８】
正面部４１は、そのほぼ全体を透明カバー３１によって構成され、上部の一部を帯状の縫い代部３２によって構成されている。背面部４２は、正面部２１と同じ部分である。すなわち、第１収納部１１と第２収納部１２とを仕切る境界部が、第１収納部１１の構成要素から見れば正面部２１であるし、第２収納部１２の構成要素から見れば背面部４２である。したがって、背面部４２の内面の裏側が、正面部２１の内面となっている。このように、第２収納部１２の内面の一部の裏面を利用して、第１収納部１１の収納空間が構成されている。
【００２９】
透明カバー３１は、第２収納部１２の収納空間をバッグ外部から視認可能とする透明性を有している。このような透明カバー３１は、例えば、ポリ塩化ビニルなどのビニール素材で形成されている。透明カバー３１は、その外周の上辺が縫い代部３２に縫い合わされ、それ以外の外周部分がファスナー３４を介して側面部４３ａ、４３ｂ及び底面部４４のマチ方向の正面側端部にそれぞれ接合されている。ファスナー３４を完全に閉じた状態では、第２収納部１２の収納空間を閉じた空間とすることができる（図１（Ａ）参照）。一方、ファスナー３４を完全に開いた状態では、透明カバー３１を縫い代部３２との縫合位置を境として上方にはねあげることができる（図１（Ｂ）参照）。すなわち、第２収納部１２の収納空間は、その正面側をファスナー３４によってほぼ全面的に開放できるように開閉可能に構成されている。
【００３０】
第２収納部１２内には、グッズ保持シート５１及びグッズ吊持部材５２がそれぞれ着脱可能に設けられている。グッズ保持シート５１は、背面部４２とほぼ同じ平面積を有するシート状（薄いプレート状）の部材である。グッズ保持シート５１は、例えば、背面部４２と同じ生地で形成されてもよいし、この生地に裏地が縫い合わされてもよい。
【００３１】
図２に示すように、グッズ保持シート５１は、正面となる表面側にグッズ保持エリア６１を有し、背面となる裏面側に面ファスナー６２（係合部）を有している。グッズ保持エリア６１はグッズ保持シート５１の正面全域にわたって形成された領域であり、缶グッズなどの各種グッズがグッズ保持エリア６１に保持される。例えば、缶グッズは、まずそのピンがグッズ保持シート５１の表面側から裏面側に通され、その後裏面側から表面側に通され缶グッズのフックなどに引っ掛けられることで、グッズ保持エリア６１に保持される。面ファスナー６２は、グッズ保持シート５１の裏面上部に横方向に亘って縫い付けられている。この面ファスナー６２に対応して、背面部４２の上部内面には面ファスナー７２が横方向に亘って縫い付けられている（図３参照）。面ファスナー７２は、面ファスナー６２に着脱可能に取り付けられる。すなわち、これら面ファスナー６２、７２によって、背面部４２の内面上部にグッズ保持シート５１の裏側側を着脱可能に取り付ける連結構造が構成されている。面ファスナー６２、７２としては、例えばマジックテープ（登録商標）を用いることができる。
【００３２】
図３に示すように、グッズ吊持部材５２は、キーホルダなどのグッズを吊るすようにして保持可能な吊持部７１と、吊持部７１の両端に設けられた一対の係合部７３ａ、７３ｂとを有している。吊持部７１は、例えばチェーンで形成されている。一対の係合部７３ａ、７３ｂは、例えばレバースナップで形成されている。この一対の係合部７３ａ、７３ｂに対応して、背面部４２の上部の両端部には、一対の係合部７３ａ、７３ｂがそれぞれ着脱可能に取り付けられる一対の係合受け部７４ａ、７４ｂが設けられている。これら係合部７３ａ、７３ｂ及び係合受け部７４ａ、７４ｂによって、背面部４２の内面上部にグッズ吊持部材５２を着脱可能に取り付ける連結構造が構成されている。係合受け部７４ａ、７４ｂは、例えばＤカンで形成されており、Ｄカンの円弧部分が下向きとなるように背面部４２に取り付けられている。
【００３３】
ここで、背面部４２に対する一対の係合受け部７４ａ、７４ｂの取り付け位置は、背面部４２に対する面ファスナー７２の取付け位置よりもバッグ上方となっている。また、係合受け部７４ａ、７４ｂに対する係合部７３ａ、７３ｂの着脱位置は、面ファスナー７２の両端部の上部付近となっている。グッズ吊持部材５２を背面部４２に取り付けた状態においては、グッズ吊持部材５２の吊持部７１の中央部が面ファスナー７２よりもわずかに下方に垂れ下がる。このような構成においては、第２収納部１２内にグッズ保持シート５１及びグッズ吊持部材５２を設けた場合、グッズ保持シート５１の大部分がグッズ吊持部材５２の下側に位置するようになる。このため、グッズ保持シート５１及びグッズ吊持部材５２について、互いの干渉が少なくなる。これにより、グッズ保持シート５１及びグッズ吊持部材５２の個別の着脱が容易となる上、これらに取り付けるグッズを見栄えよく見せることができるようになっている。
【００３４】
図４は、バッグ１０の使用例を示す正面図であり、第２収納部１２内のグッズ保持シート５１及びグッズ吊持部材５２にグッズが取り付けられている。図４に示すように、グッズ保持シート５１に保持された缶バッジ等のグッズは、第２収納部１２内に収められるとともに、グッズ保持シート５１の表面側に位置し、透明カバー３１によってバッグ外部から視認可能となる。同様に、グッズ吊持部材５２に吊持されたキーホルダ等のグッズは、第２収納部１２内に収められるとともに、グッズ保持シート５１の表面側に位置し、透明カバー３１によってバッグ外部から視認可能となる。
【００３５】
以上説明した本実施形態によれば、グッズをグッズ保持シート５１に予め保持させてから、グッズ保持シート５１を第２収納部１２内に入れて、背面部４２に取り付けることができる。これにより、グッズを背面部４２に直接取り付ける場合に比べて、グッズの取付けを簡易に行えるし、背面部４２の性状（厚みや材質）を問わなくて済む。換言すると、背面部４２に使用する素材や厚み等に関し、設計選択の幅を広げることができる。加えて、第２収納部１２内に入れたグッズ保持シート５１上のグッズを透明カバー３１を介してバッグ外部へと見せることができる。
【００３６】
同様に、グッズを予め保持させたグッズ吊持部材５２を背面部４２に取り付けることができるので、グッズ吊持部材５２へのグッズの取付けも簡易に行うことができる。そして、第２収納部１２内に入れたグッズ吊持部材５２上のグッズについても透明カバー３１を介してバッグ外部へと見せることができる。
【００３７】
また、背面部４２に対するグッズ保持シート５１及びグッズ吊持部材５２の取り付けを、両者に関係要素（６２、７２、７３ａ、７３ｂ、７４ａ、７４ｂ）をそれぞれ設けた簡単な連結構造で行うことができる。とりわけ、グッズ保持シート５１の取り付けにマジックテープ（登録商標）を使用しているので、その着脱を容易にしつつ、軽量化と低コスト化を図ることができる。
【００３８】
さらに、第１収納部１１と第２収納部１２を隣り合わせとしているので、その両者の境界部（正面部２１、背面部４２）について素材の共用化を図ることができる。また、これら収納部について視覚的に用途を分けることができる。例えば、透明カバー３１が構成されている小さい方の第２収納部１２はグッズを見せる専用の収納部とし、大きい方の第１収納部１１は身の回り品を入れるための収納部とすることができる。
【００３９】
以上、具体例を参照しつつ本考案の実施形態について説明した。以上の具体例は、本考案を説明するための例示であり、本考案をその実施形態のみに限定する趣旨ではない。すなわち、これら具体例に、当業者が適宜設計変更を加えたものも、本考案の特徴を備えている限り、本考案の範囲に包含される。例えば、前述した各具体例が備える各要素およびその配置、材料、形状、サイズなどは、例示したものに限定されるわけではなく適宜変更することができる。
【００４０】
例えば、バッグ１０及びグッズ保持シート５１の素材やその形状などは問わない。バッグ１０の一例を挙げると、手提げかばん、ハンドバッグ、ボストンバッグ、トランク、スーツケース、リュックサック、ランドセル、ゴルフバッグ、スポーツ用バッグ、買い物バッグ、ポーチなどの各種バッグである。素材（生地）は、いずれも、布地に限らず、各種皮革や不織布のほか、ビニール、ナイロン、アクリルその他の樹脂類を利用することができる。
【００４１】
透明カバー３１（透明部）の位置、大きさ及び範囲についても、第２収納部１２内においてグッズ保持シート５１に保持されるグッズの一部又は全部が外部から視認可能である限り、問わない。例えば、第２収納部１２の正面部４１の下部のみを透明部としてもよいし、左右の側面部４３ａ、４３ｂの一部又は全部を透明部としてもよい。
【００４２】
第２収納部１２へのグッズ保持シート５１の着脱は、マジックテープ（登録商標）に限らず、例えば、チャック、ボタン、磁石、クリップなどその他の連結構造で行うこともできる。例えば、ボタンの場合には、第２収納部１２の内面にボタンを複数個所設け、グッズ保持シート５１の裏面側にボタン用の穴を複数個所設ければよい。同様に、第２収納部１２へのグッズ吊持部材５２の着脱は、Ｄカンとスナップレバーの組み合わせに限らず、例えば、ボタン、磁石、クリップなどその他の連結構造で行うこともできる。
【符号の説明】
【００４３】
１０  バッグ
１１  第１収納部
１２  第２収納部
１４  持ち手
２１  正面部
２２  背面部
２３ａ  側面部
２３ｂ  側面部
２４  底面部
３１  透明カバー（透明部）
３２  縫い代部
３４  ファスナー
４１  正面部
４２  背面部
４３ａ  側面部
４３ｂ  側面部
４４  底面部
４５  天面部
５１  グッズ保持シート
５２  グッズ吊持部材
６１  グッズ保持エリア
６２  面ファスナー（係合部、連結構造）
７１  吊持部
７２  面ファスナー（係合受け部、連結構造）
７３ａ  係合部（連結構造）
７３ｂ  係合部（連結構造）
７４ａ  係合受け部（連結構造）
７４ｂ  係合受け部（連結構造）
【図１】
0003207520.tif 000003
【図２】
0003207520.tif 000004
【図３】
0003207520.tif 000005
【図４】
0003207520.tif 000006
【手続補正書】
【提出日】平成28年9月8日(2016.9.8)
【手続補正１】
【補正対象書類名】実用新案登録請求の範囲
【補正対象項目名】請求項３
【補正方法】変更
【補正の内容】
【請求項３】
前記係合部及び前記係合受け部は、面ファスナーからなる請求項２に記載のバッグ。